(57)【要約】  【課題】実使用環境下で、空調装置が最大能力での試験運転を行うと、室内の居住者に不快感を与える恐れがある。本発明は、居住者に不快感を与えることなく、実使用環境下で、空調装置の最大能力での試験運転を制御する空調管理装置を提供する。  【解決手段】本発明の空調管理装置は、室内の温熱環境を示す室内環境指数を監視し、室内環境指数が快適を示す範囲に存在する間、空調装置に、最大能力による試験運転を実施させる空調管理装置。【選択図】  図１
2007024428.tif 000002
【特許請求の範囲】
【請求項１】
室内の空気調整をする空調装置の性能検査のための試験運転を制御する空調管理装置であって、
室内外の影響によって継続的に変動する前記室内の温熱環境を示す室内環境指数を継続して取得する取得手段と、
前記室内環境指数が、快適の範囲に含まれるか否かを監視し、前記室内環境指数が、前記快適の範囲を逸脱する前に、前記空調装置に、最大能力による前記試験運転を終了させる終了制御手段
とを備えることを特徴とする空調管理装置。
【請求項２】
前記空調装置が最大能力で試験運転する間、前記室内環境指数は順変動方向へ変動し、
前記空調管理装置は、さらに、
前記快適の範囲内に含まれる試験開始環境閾値と前記室内環境指数とを比較し、前記室内環境指数が前記試験開始環境閾値よりも、前記順変動方向に存在する場合、最大能力による前記試験運転に先立って、前記空調装置に継続して調整運転を実施させ、前記室内環境指数が、前記試験開始環境閾値に達したとき、前記空調装置に最大能力による前記試験運転を開始させる開始制御手段を
備えることを特徴とする請求項１に記載の空調管理装置。
【請求項３】
前記空調管理装置は、さらに、
前記室内の熱負荷に影響を与える屋外の気温を示す外気温を取得する外気温取得手段と、
取得した外気温が、最大能力による前記試験運転の実施するか否かを決定する実施閾値に達しているか否かを判断する実施判断手段とを備え、
達していると判断される場合に、前記開始制御手段は、前記比較を行う
ことを特徴とする請求項２に記載の空調管理装置。
【請求項４】
前記外気温取得手段と前記実施判断手段とは、さらに、外気温の取得及び取得した外気温が前記実施閾値に達しているか否かの判断を繰返し、
前記終了制御手段は、予め、前記快適の範囲の境界のうち、前記順変動方向の境界と対応する終了境界値を記憶しており、前記室内環境指数が、前記終了境界値に達した場合又は取得した外気温が前記実施閾値に達していないと判断される場合、前記試験運転を終了させる
ことを特徴とする請求項３に記載の空調管理装置。
【請求項５】
前記空調装置は、さらに、
過去の所定期間の屋外の気温を示す１以上の旧外気温を記憶している記憶手段と、
前記所定期間において、最大能力による試験運転を実施するか否かを決定した旧実施閾値を記憶している実施閾値記憶手段と、
前記記憶手段の記憶している旧外気温に基づいて、前記実施閾値を生成し、生成した前記実施閾値により、前記実施閾値記憶手段の記憶している前記旧実施閾値を更新する更新手段とを備え、
前記実施判断手段は、前記実施閾値記憶手段から前記実施閾値を取得し、取得した前記実施閾値を用いて前記判断を行う
ことを特徴とする請求項３に記載の空調管理装置。
【請求項６】
室内の空気調整をする空調装置の性能検査のための試験運転を制御する空調管理装置で用いられる空調管理プログラムであって、
室内外の影響によって継続的に変動する前記室内の温熱環境を示す室内環境指数を継続して取得する取得ステップと、
前記室内環境指数が、快適の範囲に含まれるか否かを監視し、前記室内環境指数が、前記快適の範囲を逸脱する前に、前記空調装置に、最大能力による前記試験運転を終了させる終了制御ステップ
とを含むことを特徴とする空調管理プログラム。
【発明の詳細な説明】
【技術分野】
【０００１】
本発明は、実使用状態で、空調装置の試験運転を実施する技術に関する。
【背景技術】
【０００２】
ビルの空調設備を初めとして、大規模なシステムを管理するに当たって、経時的にシステムの性能の変化を検証する必要がある。空調システムの性能を評価するためには、システム内外の各所にデータ収集用のセンサを配置して、室温、外気温、湿度、風量（風速）、消費電力など、様々なデータを収集し、解析する。
特許文献１では、このような、空調システムにおいて、効率よく、システム内の各所のデータを収集する技術を開示している。この技術によると、データ収集装置は、予め、操作者の入力により、データ収集の対象となるデータ収集ポイント群を収集パターンとして登録し、各収集パターンに対して、収集期間を登録しておく。登録している収集期間及び収集パターンに基づいて、自動的に登録されているデータ収集ポイントのデータの収集を開始する。従って、データ収集の対象となるデータ収集ポイントの変更などに、人の手を煩わせることなく、自動で各センサによって計測されたデータを収集することが出来る。
【０００３】
特許文献１に開示された技術では、予め、設定された期間に指定されたセンサによって計測されたデータを計測するのみであり、収集期間中に、空調システムが最大能力で運転されていない可能性がある。例えば、冷夏の影響により、最大能力で冷房運転しない日が連続する場合が該当する。
空調システムを実際に運用する場合、室内の居住者の発する熱、外気温、太陽輻射といった様々な要因が熱負荷に影響を与えている。空調装置の性能を評価するにあたって、最大能力で運転した場合に、これらの要因によって発生する熱負荷を処理するために十分な性能を備えていることを確認する必要がある。
【特許文献１】特開２００４−２１３２５０号公報
【非特許文献１】快適な温熱環境のメカニズム  社団法人  空気調和衛生工学会
【非特許文献２】イラストでわかる空調の技術  学芸出版  １９９１年１２月２０日発行
【発明の開示】
【発明が解決しようとする課題】
【０００４】
そのため、実使用環境で、最大能力による試験運転を実施し、空調システムの性能評価をすることが望ましい。しかしながら、室内に居住者が存在する実使用環境下で、最大能力による試験運転を実施すると、室内の快適性に影響を与えるため、居住者に不快感を与える恐れがあるため、オフィスなどに備えられた空調システムの場合、通常は、休日など、室内に居住者が存在しない環境で最大能力による試験運転を実施している。
【０００５】
そこで、本発明は、上記の問題を解決するために、室内に居住者が存在する場合であっても、その居住者に不快感を与えることなく、実使用環境下で空調装置の試験運転を制御する空調管理装置を提供することを目的とする。
【課題を解決するための手段】
【０００６】
この課題を解決するために本発明は、室内の空気調整をする空調装置の性能検査のための試験運転を制御する空調管理装置であって、室内外の影響によって継続的に変動する前記室内の温熱環境を示す室内環境指数を継続して取得する取得手段と、前記室内環境指数が、快適の範囲に含まれるか否かを監視し、前記室内環境指数が、前記快適の範囲を逸脱する前に、前記空調装置に、最大能力による前記試験運転を終了させる終了制御手段とを備えることを特徴とする。
【発明の効果】
【０００７】
この構成によると、終了制御手段は、前記室内環境指数が、快適の範囲内を逸脱する前に、空調装置に最大能力による試験運転を終了させるため、最大能力による試験運転中、室内環境指数は、快適の範囲内に存在する。従って、試験運転中、室内の居住者は、不快感を感じることはない。
また、本発明において、前記空調装置が最大能力で試験運転する間、前記室内環境指数は順変動方向へ変動し、前記空調管理装置は、さらに、前記快適の範囲内に含まれる試験開始環境閾値と前記室内環境指数とを比較し、前記室内環境指数が前記試験開始環境閾値よりも、前記順変動方向に存在する場合、最大能力による前記試験運転に先立って、前記空調装置に継続して調整運転を実施させ、前記室内環境指数が、前記試験開始環境閾値に達したとき、前記空調装置に最大能力による前記試験運転を開始させる開始制御手段を備えることを特徴とする。
【０００８】
ここで、前記調整運転とは、前記室内環境指数が、前記順方向とは逆の方向に変動するような運転である。例えば、出力を抑制して運転をすること、一時的に運転を中断することが考えられる。
上記の構成によると、前記開始制御手段は、前記試験運転に先立って、前記室内環境指数が、前記試験開始環境閾値に達するまで、前記空調装置に、調整運転を継続して実施させるため、確実に、最大能力による試験運転を開始させることができるという効果を奏する。
【０００９】
さらに、前記試験開始環境閾値を、前記快適の範囲の境界のうち、前記順方向と逆側の境界の近くに設定した場合、最大能力による試験運転を実施する時間をより長く確保できる。なお、試験開始環境閾値は、以下の実施の形態の冷房試験開始環境閾値及び暖房試験開始環境閾値に該当する。
本発明の前記空調管理装置は、さらに、前記室内の熱負荷に影響を与える屋外の気温を示す外気温を取得する外気温取得手段と、取得した外気温が、最大能力による前記試験運転の実施するか否かを決定する実施閾値に達しているか否かを判断する実施判断手段とを備え、達していると判断される場合に、前記開始制御手段は、前記比較を行うことを特徴とする。
【００１０】
この構成によると、前記開始制御手段は、外気温が、一定以上の影響を室内の熱負荷に対して与える場合に、前記空調装置に最大能力による試験運転を開始させる。このため、本発明の空調管理装置を用いると、厳しい環境下での前記空調装置の性能評価を行うことができる。なお、実施閾値は、以下の実施の形態の冷房閾値及び暖房閾値に該当する。
また、前記外気温取得手段と前記実施判断手段とは、さらに、外気温の取得及び取得した外気温が前記実施閾値に達しているか否かの判断を繰返し、前記終了制御手段は、予め、前記快適の範囲の境界のうち、前記順変動方向の境界と対応する終了境界値を記憶しており、前記室内環境指数が、前記終了境界値に達した場合又は取得した外気温が前記実施閾値に達していないと判断される場合、前記試験運転を終了させることを特徴とする。
【００１１】
性能評価の目的のひとつは、実使用環境下で、高い熱負荷が存在する場合に、その熱負荷を処理するための十分な能力を空調装置が備えていることを確認することである。従って、外気温に関する熱負荷が、低くなった場合、もはや最大能力による試験運転を継続する必要はなく、むしろ、このような状態で、最大能力による試験運転を継続すると、不必要に電力を消費する。上記の構成によると、前記終了制御手段は、前記室内環境指数が、前記終了境界値に達していなくても、取得した外気温が前記実施閾値に達していないと判断される場合、前記試験運転を終了させる。従って、不必要な試験運転の継続による電力の消費を削減することができる。
【００１２】
前記空調装置は、さらに、過去の所定期間の屋外の気温を示す１以上の旧外気温を記憶している記憶手段と、前記所定期間において、最大能力による試験運転を実施するか否かを決定した旧実施閾値を記憶している実施閾値記憶手段と、前記記憶手段の記憶している旧外気温に基づいて、前記実施閾値を生成し、生成した前記実施閾値により、前記実施閾値記憶手段の記憶している前記旧実施閾値を更新する更新手段とを備え、前記実施判断手段は、前記実施閾値記憶手段から前記実施閾値を取得し、取得した前記実施閾値を用いて前記判断を行うことを特徴とする。
【００１３】
このようにすることで、本発明の空調管理装置では、過去の外気温に基づいて、最適な実施閾値を生成し、生成された最適な実施閾値によって、前記判断を行うことができる。
【発明を実施するための最良の形態】
【００１４】
１．実施の形態１
本発明の１の実施の形態である空調管理システム１について以下に説明する。
１．１  空調管理システムの概要
空調管理システム１は、図１に示すように、空調装置１００、屋外計測機器２５０、ダクト等に設置された各種のセンサからなる空調計測機器１５０及び空調管理装置３００から構成され、建物２００の室内の空調を管理している。ここでは、説明を容易にするため、建物２００内の１室のみを空調管理の対象とする。
【００１５】
空調管理装置３００は、屋外計測機器２５０及び空調装置１００と接続されている。また、具体的には図示していないが、空調計測機器１５０とも接続されている。空調管理装置３００は、在室者の操作により設定された温度や風量、屋外計測機器２５０、空調計測機器１５０から取得した室内外の計測データに応じて、空調装置１００の運転状態を制御する。空調装置１００は、冷凍機、ヒーター、ファンなどを備え、空調管理装置３００の制御に従って、ダクト１１１及び１１２を介して、建物２００の室内へ、暖気又は冷気を送風して室温を調整する。空調装置は、通常運転と性能試験運転（詳細は後述）の２つの運転モードの何れかで運転する。操作者は、空調管理装置３００の備える試験開始ボタンを押下することによって、通常運転から性能試験運転へ運転モードを切り換える。
【００１６】
空調管理装置３００は、冷房中に試験開始ボタンの押下を検出した場合、外気温が所定の閾値（以下冷房閾値Ｔｍａｘと呼ぶ）以上になると、空調装置１００に最大能力で運転するように制御し、空調装置１００は、最大出力での冷房運転を実施する。
空調装置１００が、最大出力での冷房運転を実施している間、空調管理装置３００は、定期的に、室内の快適性を示す室内環境指数を監視する。室内環境指数が快適を示す範囲から逸脱すると、最大出力での冷房運転から通常の運転に切り替えるように、空調装置１００を制御する。
【００１７】
暖房運転中に試験開始ボタンの押下を検出した場合は、外気温が所定の閾値（以下、暖房閾値Ｔｍｉｎ）を下回ると、最大能力で暖房運転するように、空調装置１００を制御し、室内環境指数が快適を示す範囲から逸脱すると、最大出力での暖房運転から通常の運転に切り替えるように、空調装置１００を制御する。
このようにすることで、空調管理システム１では、居住者の快適性を損なわずに、高負荷状態での性能評価を実施する。
【００１８】
なお、冷房時の最大能力運転とは、空調装置１００に備えられている冷凍機の冷媒の流量を最大にし、ファンの回転数を最大にすることである。暖房時の最大能力運転とは、ヒーターに供給する電力量を最大にし、ファンの回転数を最大にすることを指す。
１．２  空調装置１００
空調装置１００は、空気調和機１０５、熱源１０３から構成され、空調管理装置３００の制御に従って、建物２００の室内の空気調和を行う。空調装置１００と建物２００との間には、ダクト１１１及び１１２が配置されている。
【００１９】
熱源１０３は、暖房運転に用いられるヒーター、冷房運転に用いられる冷凍機及びポンプを含んで構成される。冷凍機は、圧縮器、凝縮器、膨張器などを含んで構成される。また、具体的には図示していないが、冷凍機は、凝縮器において、冷媒の冷却に用いられる冷却水を供給する冷却塔と接続されている。冷凍機は、冷媒の状態変化を利用して、２次冷媒（水、ＨＦＣ（ハイドロフルオロカーボン）など）を冷却し、ポンプによって、冷却した２次冷媒を空気調和機１０５へ送り出す。
【００２０】
ヒーターは、発熱により熱媒（水、ＨＦＣ（ハイドロフルオロカーボン）など）を加熱し、ポンプによって、加熱した熱媒を空気調和機１０５へ送り出す。
空気調和機１０５は、ファン１０１とコイル１０２から構成され、ダクト１１１及び１１２と接続されている。
コイル１０２は、ポンプを介して、熱源１０３の冷凍機から２次冷媒を受け取り、受け取った２次冷媒によって、空気を冷却する冷却コイルと、ポンプを介して、熱源１０３のヒーターから熱媒を受け取り、受け取った熱媒によって、空気を加熱する加熱コイルから構成される。以下の説明において、上記の過程で加熱された空気を暖気、冷却された空気を冷気と呼ぶ。
【００２１】
ファン１０１は、熱源１０３及びコイル１０２により生成された暖気又は冷気をダクト１１１及び吹き出し口１２１を介して建物２００の室内へ送る。ダクト１１２は、換気口１２２により回収された室内の空気を再度、空調装置１００へ戻す。
空調装置１００は、公知の技術によって実現できるので、ここでは簡単な説明にとどめる。また、ここでは、間接冷却、間接暖房を採用しているが、直冷式など、他の方法を採用してもよい。空調装置の仕組みについては、非特許文献２に紹介されている。
【００２２】
以下の説明において、利用者の設定した、温度、風向などに基づく、空調装置１００の通常時の運転を通常運転と呼ぶ。また、性能評価のための最大能力での冷房運転を冷房試験運転と呼び、性能評価のための最大能力での暖房運転を、暖房試験運転と呼び、これらを総称して性能評価運転と呼ぶ。
１．３  建物２００
建物２００の室内には、図１に示すように、吹き出し口１２１、換気口１２２及びコントローラ１２３が設置されている。
【００２３】
吹き出し口１２１は、ファン１０１及びダクト１１１を介して暖気・冷気を受け取り、室内へ暖気・冷気を送り出す。吹き出し口１２１には、複数のはねが備えられており、空調管理装置の制御により、その角度を変更し、風向を調整する。
換気口１２２は、室内の空気を回収し、ダクト１１２を介して、回収した空気（以下、還気と呼ぶ）を空調装置１００へ送る。
【００２４】
コントローラ１２３は、配線を図示していないが、空調管理装置３００と接続されている。コントローラ１２３は、各種のボタンを備えており、居住者の操作による温度・風向の設定を受け付ける。受け付けた温度及び風向を空調管理装置３００へ通知する。
１．４  屋外計測機器２５０
屋外計測機器２５０は、建物２００の屋上又は外壁面に設置されており、外気温度計２５１、外気湿度計２５２、日射計２５３から構成される。また、具体的には図示していないが、放射計など他の計測器を含んでいてもよい。
１．５  空調計測機器１５０
空調計測機器１５０は、図１に示す様に、給気温度計１５１、室温計１５２、風速計１５３、電力計１５４及び建物２００の室内に設置された室内湿度計から構成される。各計測器は、空調管理装置３００と接続されており、計測データを空調管理装置３００へ送信している。
【００２５】
給気温度計１５１及び風速計１５３は、ダクト１１１を介して、室内に送られる暖気又は冷気の気温（以下、給気温）と風速を計測する。
室温計１５２は、ダクト１１２を介して、空調装置１００へ送られる還気の温度を計測する。ここで、計測される温度を室内気温とする。
室内湿度計は、建物２００の室内の湿度を計測する。
【００２６】
電力計１５４は、空調装置１００で消費される電力を計測する。
風速計１５３は、吹き出し口１２１若しくはダクト１１２に設置されていてもよいし、室温計１５２は、室内に設置されていてもよい。
また、これらの計測器の測定する風速や温度は、室内で処理した熱量を求める際に使用するものであるので、コイル１０２に流れる冷媒流量と、コイル１０２の入り口及び出口での冷媒温度を代用して熱量を求めることも可能である。従って、空調計測機器１５０は、コイル１０２に設置された冷媒流量、冷媒温度の計測器を含んだ構成であってもよい。
１．６  空調管理装置３００
空調管理装置３００は、図１に示すように、操作者による操作を受け付けるキーボード３０８、各種の画面を表示するモニタ３０９と接続されている。キーボード３０８は、空調装置１００の性能評価の開始を示す試験開始ボタンを備えている。
【００２７】
空調管理装置３００は、図２に示すように、データ収集部３０１、試験実行部３０２、空調制御部３０３及び情報記憶部３０５から構成される。
空調管理装置３００は、具体的には、マイクロプロセッサ、ＲＡＭ、ＲＯＭ、ハードディスクなどを含んで構成されるコンピュータシステムであって、ＲＡＭ、ＲＯＭ、ハードディスクには、コンピュータプログラムが記憶されており、前記マイクロプロセッサが前記プログラムに従って動作することにより、空調管理装置３００は、その機能の一部を達成する。
【００２８】
また、空調管理装置３００は、内部にタイマを備えており、毎日朝９時になると自動で起動し、午後１０時になると、空調装置１００を停止させ、空調装置１００自身もシステムを終了する。又は、管理者が、所定時刻に、空調管理装置３００及び空調装置１００の電源をＯＮ／ＯＦＦするとしてもよい。
なお、空調管理装置３００は、一例として、図１に示すとおりパーソナルコンピュータのような形態であるが、ＰＬＤ（プログラマブル・ロジック・コントローラ）やＤＤＣ（ダイレクト・ディジタル・コントローラ）に代表される分散型コントローラと表示・操作器によっても実現可能である。
＜動作概要＞
図３は、空調管理装置３００の１日の動作の全体像を示すフローチャートである。
【００２９】
空調管理装置３００が起動されると、データ収集部３０１、空調制御部３０３、試験実行部３０２は、それぞれ並行して、ステップＡ、ステップＢ、ステップＣの処理を開始する。
データ収集部３０１は、定期的に、屋外計測機器２５０及び空調計測機器１５０から外気温を初めとする各種のデータを収集し、収集したデータを情報記憶部３０５に記録する（ステップＡ）。空調制御部３０３は、空調装置１００の制御を行い（ステップＢ）、試験実行部３０２は、空調装置１００の性能評価を行う（ステップＣ）。午後１０時に、空調装置１００自身のシステムが終了するまで、それぞれ、ステップＡ、ステップＢ、ステップＣの処理を継続する。
【００３０】
ステップＡ〜ステップＣの詳細については、以下の各構成の説明において述べる。
＜構成＞
（１）情報記憶部３０５
情報記憶部３０５は、ハードディスクユニットを含んで構成され、一例として、図４に示すように、収集データリスト３１１、冷房閾値３１２、暖房閾値３１３、冷房閾値履歴表３１６、暖房閾値履歴表３１７、冷房閾値更新日３１８、暖房閾値更新日３１９、冷房閾値補正日リスト３２２、暖房閾値補正日リスト３２３、ＰＭＶ算出基本データ３２７などを記憶している。さらに、具体的には図示していないが、この他にも、各種の計測データや評価値、評価値などを算出するための定数、各種のプログラム、画面データなどを記憶している。
【００３１】
（収集データリスト３１１）
収集データリスト３１１は、図５に示すように複数の収集データ３４１、３４２、３４３・・・から構成される。各収集データは、日時、外気温、日射量、屋外湿度、給気温、室温、風速、電力・・・を含む。
外気温、日射量、屋外湿度、給気温、室温、風速、電力・・・は、日時の示すときに、屋外計測機器２５０及び空調計測機器１５０によって、計測されたデータである。
【００３２】
（冷房閾値３１２、暖房閾値３１３）
冷房閾値３１２は、空調装置１００に最大能力で冷房運転を実施させ、その間の空調装置１００の性能評価を開始するか否かを判断する基準のひとつであり、外気温が冷房閾値３１２以上であれば、試験実行部３０２は、性能評価を開始する。空調管理システム１の稼動開始当初の冷房閾値３１２の初期値は、管理者によって設定されている。
【００３３】
以下の説明において、空調装置１００の最大出力での冷房運転の性能評価関して、試験実行部３０２が実行する一連の処理を、冷房性能試験と呼ぶ（詳細は後述する）。また、冷房閾値３１２の値を「Ｔｍａｘ」と表記する。
暖房閾値３１３は、空調装置１００に最大能力で暖房運転を実施させ、その間の空調装置１００の性能評価を開始するか否かを判断する基準のひとつである。外気温が、暖房閾値３１３以下であれば、試験実行部３０２は、性能評価を開始する。空調管理システム１の稼動開始当初の暖房閾値３１３の初期値は、管理者によって設定されている。
【００３４】
以下の説明において、空調装置１００の最大能力での暖房運転の性能評価に関して、試験実行部３０２の実行する一連の処理を、暖房性能試験と呼ぶ（詳細は後述する）。また、暖房閾値３１３の値を「Ｔｍｉｎ」と表記する。
（冷房閾値履歴表３１６、暖房閾値履歴表３１７）
冷房閾値履歴表３１６は、図６に示すように、複数の更新情報３５１、３５２、３５３・・・から構成される。各更新情報は、更新日時と冷房閾値とを含む。更新日時は、冷房閾値３１２が更新された年月日と時刻であり、冷房閾値は、更新後の冷房閾値３１２である。閾値更新処理（詳細後述）、閾値補正処理（詳細後述）及び冷房性能試験における更新（詳細後述）によって、冷房閾値３１２が更新されるたびに、更新された更新日時と更新後の冷房閾値３１２からなる、新たな更新情報が冷房閾値履歴表３１６に追加される。なお、先頭の更新情報３５１は、操作者によって予め書き込まれており、更新日時は、空調管理システムの稼動開始日時、冷房閾値は、冷房閾値３１２の初期値である。
【００３５】
暖房閾値履歴表３１７は、図６に示すように、複数の更新情報３６１、３６２、３６３・・・から構成される。各更新情報は、更新日時と暖房閾値とを含む。更新日時は、暖房閾値３１３が更新された年月日と時刻であり、暖房閾値は、更新後の暖房閾値３１３である。閾値更新処理（詳細後述）、閾値補正処理（詳細後述）及び暖房性能試験における更新（詳細後述）によって、暖房閾値３１３が更新されるたびに、新たな、更新情報が暖房閾値履歴表３１７に追加される。なお、先頭の更新情報３６１は、操作者によって予め書き込まれており、更新日時は、空調管理システムの稼動開始日時であり、暖房閾値は、暖房閾値３１３の初期値である。
【００３６】
（冷房閾値更新日３１８、暖房閾値更新日３１９）
冷房閾値更新日３１８は、前年度の外気温を加味して、冷房閾値３１２を、再計算する日である（再計算の手順については、後述の「閾値更新処理」で説明する）。冷房閾値更新日３１８は、１年のうちの、冷房運転が開始される時期に設定され、具体的に、本実施の形態では、「５月１日」である。
【００３７】
暖房閾値更新日３１９は、前年度の外気温を加味して、暖房閾値３１３を、再計算する日である（再計算の手順については、後述の「閾値更新処理」で説明する）。暖房閾値更新日３１９は、１年のうちの、暖房運転が開始される時期に設定され、具体的に、本実施の形態では、「１１月１日」である。
（冷房閾値補正日リスト３２２、暖房閾値補正日リスト３２３）
冷房閾値補正日リスト３２２は、複数の冷房閾値補正日３８１、３８２、３８３・・・から構成される。各冷房閾値補正日は、冷房閾値３１２の補正を行う日を示す。ここで、冷房閾値の補正とは、例えば、冷夏のため、外気温が冷房閾値３１２に達しない日が続き、長期にわたって、冷房性能試験が実行されない状況を回避するために、直近の外気温を考慮して、冷房閾値３１２を修正することである（詳細は後述する）。
【００３８】
暖房閾値補正日リスト３２３は、複数の暖房閾値補正日３８６、３８７、３８８・・・から構成される。各暖房閾値補正日は、暖房閾値３１３の補正を行う日である。ここで、暖房閾値の補正とは、例えば、暖冬のため、外気温が暖房閾値３１３を下回らない日が続き、長期にわたって、暖房性能試験が実行されない状況を回避するために、直近の外気温を考慮して、暖房閾値３１３を修正することである（詳細は後述する）。
【００３９】
ただし、真冬など、ほとんど冷房を必要としない時期に冷房閾値の補正を行うと、冷房閾値が不当に低くなり、外気温の低い状態つまり熱負荷の小さい状態で、冷房運転の性能評価を開始してしまう可能性がある。空調管理装置３００は、高負荷状態での、性能評価を目的としているので、低負荷状態での、冷房運転の性能評価の実施を回避するため、各冷房閾値補正日は、５月〜１０月の間に設定されている。
【００４０】
同様の理由で、各暖房閾値更新日は、１１月〜３月の間に設定されている。
（ＰＭＶ算出基本データ３２７）
ＰＭＶ算出基本データ３２７は、建物２００の室内の予測平均温冷感申告（ＰＭＶ：Ｐｒｅｄｉｃｔｅｄ  Ｍｅａｎ  Ｖｏｔｅ）を算出するために必要な、各種の変数、定数を含む。一例としては、室内の居住者の人数、一人当たりの平均代謝熱量、季節ごとの居住者の被服量、建物２００の壁外壁面積、外壁の放射率、窓の面積などである。ＰＭＶについては、公知の技術であり、非特許文献１に詳細に説明されているので、ここでは、詳細な説明は割愛する。
【００４１】
（２）データ収集部３０１
データ収集部３０１は、屋外計測機器２５０及び、空調計測機器１５０と接続されている。また、時間を計測するカウンタ若しくは時計を備え、データ取得時間間隔「１分」を記憶している。ただし、データ取得間隔は、データ収集部を構成するシステムが、各計測機器によって、外気温を初めとする各種のデータを計測可能な周期に依存するため、必ずしも「１分」とは限らない。（本実施の形態においては、「１分」として説明する）
以下に、データ収集部３０１の行う処理（ステップＡの詳細）について、図３のフローチャートを用いて説明する。
【００４２】
空調管理装置３００が起動すると、データ収集部３０１は、屋外計測機器２５０及び空調計測機器１５０から、外気温、日射量、室温などのデータを取得する（ステップＳ１０１）。次に、取得したデータとデータを取得した日時からなる収集データを生成し、生成した収集データを収集データリスト３１１へ追加する（ステップＳ１０２）。次に、カウンタを０に初期化して、時間の計測を開始し、１分経過すると、ステップＳ１０１へ戻る。以後、１分毎に、データ取得と収集データの追加を繰り返す。
【００４３】
（３）空調制御部３０３
空調制御部３０３は、空調装置１００及び建物２００内部のコントローラ１２３、吹き出し口１２１と接続されている。また、モニタ３０９及びキーボード３０８と接続されており、キーボード３０８から各種のデータ・命令の入力を受け付け、各種の画面をモニタ３０９に表示させる。
【００４４】
以下に、図３のフローチャートを用いて、空調制御部３０３の実行する処理（ステップＢ）について説明する。
空調制御部３０３は、空調管理装置３００が起動すると、空調装置１００を起動させ、空調装置１００の通常運転の制御を行う（ステップＳ１１１）。具体的には、空調制御部３０３は、コントローラ１２３から、利用者によって設定された、温度、風向などを取得し、情報記憶部３０５の記憶している収集データリスト３１１の最新の収集データを参照しながら、設定された温度、風向になるように、空調装置１００の冷媒の流量、ヒーターへ供給する電力、ファン１０１の回転数、吹き出し口１２１の羽の角度などを調整する。
【００４５】
以降、空調制御部３０３は、試験実行部３０２から運転モード変更を指示されるまで、通常運転制御を継続する（ステップＳ１１２のＮＯ）。
ただし、通常運転の制御中に、試験実行部３０２から、調整運転を指示される場合がある。調整運転を指示されると、空調制御部３０３は、一定時間（例えば３分間）、空調装置１００の出力を抑制（または停止）するように制御する。一定時間経過後は、通常運転制御に戻る。
【００４６】
空調制御部３０３は、試験実行部３０２から、空調装置１００の運転モードを、冷房試験運転又は暖房試験運転へ変更するように指示される（ステップＳ１１２）。
冷房試験運転への変更を指示されると（ステップＳ１１２の冷房試験運転）、空調制御部３０３は、コントローラ１２３から取得した温度及び風向の設定に関わらず、冷房試験運転の制御を行う（ステップＳ１１３）。具体的には、空調装置１００に対して、熱源１０３の冷凍機の冷媒の流量及びファン１０１の回転数を最大にする様に制御する。また、吹き出し口１２１の羽の角度を水平方向にして、冷気が直接居住者に当たらないようにする（ステップＳ１１３）。以降、空調制御部３０３は、試験実行部３０２から運転モード変更を指示されるまで、冷房試験運転の制御を継続する（ステップＳ１１４のＮＯ）。
【００４７】
暖房試験運転への変更を指示された場合（ステップＳ１１２の暖房試験運転）、空調制御部３０３は、コントローラ１２３から取得する温度及び風向の設定に関わらず、暖房試験運転の制御を行う（ステップＳ１１７）。具体的には、ヒーターへ供給する電力を最大にし、ファンの回転数を最大にするように、空調装置１００を制御する（ステップＳ１１７）。
【００４８】
以降、空調制御部３０３は、試験実行部３０２からモード変更を指示されるまで、暖房試験運転を継続する（ステップＳ１１８のＮＯ）。
冷房試験運転の制御中又は冷房試験運転の制御中に、試験実行部３０２から運転モード変更を指示されると（ステップＳ１１４及びステップＳ１１８のＮＯ）、ステップＳ１１１へ戻り、通常運転の制御を再開する。
【００４９】
（４）試験実行部３０２
試験実行部３０２は、モニタ３０９、キーボード３０８と接続されており、キーボードを介して、操作者による各種のデータ・命令の入力を受け取り、モニタに、各種の画面を表示させる。
（４−１）試験実行部３０２による処理（ステップＣ）
試験実行部３０２による処理（ステップＣ）について、図３のフローチャートを用いて説明する。
【００５０】
試験実行部３０２は、空調管理装置３００が起動すると、閾値更新処理を行い（ステップＳ１２１）、続いて、閾値補正処理を行う（ステップＳ１２２）。閾値更新処理及び閾値補正処理については、後述する。
これらの処理が終了すると、キーボード３０８から、試験開始ボタンの押下を示す信号を受け取るまで待機する（ステップＳ１２４のＮＯ）。
【００５１】
試験スイッチの押下を示す信号を受け取った場合（ステップＳ１２４のＹＥＳ）、空調装置１００が冷房運転をしていれば（ステップＳ１２６の冷房）、室内外の状態が、冷房性能試験を実施するのに適しているか否かによって冷房性能試験を開始するか否かを判定し（ステップＳ１２７）、開始すると判定された場合には（ステップＳ１２９のＹＥＳ）、冷房性能試験を行う（ステップＳ１３１）。
【００５２】
試験スイッチの押下を示す信号を受け取った場合（ステップＳ１２４のＹＥＳ）、空調装置１００が暖房運転をしていれば（ステップＳ１２６の暖房）、室内外の状態が、暖房性能試験を実施するのに適しているか否かによって、暖房性能試験を開始するか否かを判定し（ステップＳ１３２）、開始すると判定された場合には（ステップＳ１３４のＹＥＳ）、暖房性能試験を行う（ステップＳ１３６）。開始判定、冷房性能試験及び暖房性能試験の詳細については、後述する。
【００５３】
冷房性能試験及び暖房性能試験を開始しないと判定した場合（ステップＳ１２９及びステップＳ１３４のＮＯ）、又は、冷房性能試験又は暖房性能試験が終了した場合、ステップＳ１２４へ戻り、再度、試験スイッチの押下を示す信号を受け取るまで待機する。
（４−２）閾値更新処理
閾値更新処理は、前年度の外気温を加味して、最適な冷房閾値３１２及び暖房閾値３１３を、再計算する処理である。冷房試験運転及び暖房試験運転では、空調装置３００の消費する電力は最大になる。そのため、省電力の観点から、性能試験の回数は少ない方がよい。そこで、閾値更新処理において、試験実施部３０２は、冷房運転が開始される時期（本実施の形態では５月１日）に、冷房閾値３１２が、前年度よりも大きくなるように、再計算し、暖房運転が開始される時期（本実施の形態では１１月１日）に暖房閾値３１３を、前年度よりも小さくなるように再計算する。
【００５４】
以下に、試験実行部３０２による閾値更新処理の詳細について、図８のフローチャートを用いて説明する。これは、図３のステップＳ１２１の詳細である。
試験実行部３０２は、情報記憶部３０５に記憶されている冷房閾値更新日３１８を読み出し（ステップＳ１４１）、読み出した冷房閾値更新日３１８と現在の日付とを比較する。比較の結果、現在日付が冷房閾値更新日３１８に該当すると判断される場合（ステップＳ１４２のＹＥＳ）、試験実行部３０２は、情報記憶部３０５に記憶されている冷房閾値履歴表３１６に含まれる更新情報のうち、前年度の該当する更新日時を含むものを選択し、選択した更新情報に含まれる冷房閾値のうち最大の冷房閾値Ｔｍａｘ’を読み出す（ステップＳ１４３）。例えば、現在、２００４年５月１日であれば、冷房閾値履歴表３１６を構成する更新情報のうち、更新日時が２００３年４月１日〜２００４年３月３１日に含まれる更新情報３５１、３５２、３５３・・・を選択する。これらの更新情報に含まれる冷房閾値のうち、最大の冷房閾値Ｔｍａｘ’を読み出す。
【００５５】
ただし、該当する更新情報が冷房閾値履歴表３１６上に存在しない場合（つまり、空調管理システム１を起動した初年度）、情報記憶部３０５から現在の冷房閾値３１２を読み出し、現在日時と読み出した冷房閾値３１２からなる更新情報を生成し、生成した更新情報を、冷房閾値履歴表３１６に追加して、閾値更新処理を終了する。
次に、試験実行部３０２は、情報記憶部３０５に記憶されている収集データリスト３１１を構成する収集データのうち、日時が前年度のものを選択する。選択した収集データに含まれる外気温Ｔのうち、Ｔｍａｘ’≦Ｔを満たすものを全て読み出す（ステップＳ１４６）。読み出した外気温の平均値を算出し、算出した平均値によって、情報記憶部３０５に記憶されている冷房閾値３１２を更新する（ステップＳ１４７）。続いて、現在日時と更新後の冷房閾値３１２からなる更新情報を生成し、生成した更新情報を冷房閾値履歴表３１６に追加する（ステップＳ１４９）。
【００５６】
ステップＳ１４２において、現在の日付と冷房閾値更新日３１８とが一致しなければ（ステップＳ１４２のＮＯ）、情報記憶部３０５から暖房閾値更新日３１９を読み出し（ステップＳ１５１）、現在の日付と暖房閾値更新日３１９とを比較する。現在の日付が暖房閾値更新日３１９と一致しない場合（ステップＳ１５２のＮＯ）、閾値更新処理を終了する。
【００５７】
現在の日付が暖房閾値更新日３１９と一致する場合（ステップＳ１５２のＹＥＳ）、試験実行部３０２は、暖房閾値履歴表３１７を構成する更新情報のうち、前年度の更新情報を選択する。選択した更新情報に含まれる暖房閾値のうち最小の暖房閾値Ｔｍｉｎ’を読み出す（ステップＳ１５３）。次に、試験実行部３０２は、収集データリスト３１１を構成する収集データのうち、前年度の収集データを選択する。選択した収集データリストに含まれる外気温Ｔのうちで、Ｔ≦Ｔｍｉｎ’を満たすものを全て読み出す（ステップＳ１５４）。読み出した外気温の平均値を算出し、算出した平均値によって、情報記憶部３０５に記憶されている暖房閾値３１３を更新する（ステップＳ１５６）。
【００５８】
次に、試験実行部３０２は、現在の日時と更新後の暖房閾値から構成される新たな更新情報を生成し、生成した更新情報を暖房閾値履歴表３１７に追加する（ステップＳ１５７）。
（４−２）閾値補正処理
前述の閾値更新処理において、冷房閾値３１２は、前年より大きくなるように更新される。また、後述する冷房性能試験においても、冷房閾値３１２は、冷房性能試験前よりも大きくなるように更新される。このような更新が繰り返されると、冷夏など、外気温が低い日続いた場合、冷房性能試験が長期間にわたって実施されない可能性がある。
【００５９】
閾値更新処理において、暖房閾値３１３は、前年より小さくなるように更新される。また、後述する暖房性能試験においても、暖房閾値３１３は、暖房性能試験前よりも小さくなるように更新される。このような更新が繰り返されると、暖冬など、外気温が低い日続いた場合、冷房性能試験が長期間にわたって実施されない可能性がある。
このような事態を避けるため、閾値補正処理において、試験実行部３０２は、直近の外気温を加味して、冷房閾値３１２をある程度小さくなるように補正し、暖房閾値３１３がある程度、大きくなるように補正する。
【００６０】
以下に、図９及び図１０のフローチャートを用いて、閾値補正処理の詳細について説明する。なお、これは、図３のステップＳ１２２の詳細である。
試験実行部３０２は、情報記憶部３０５から冷房閾値補正日リスト３２２を読み出し（ステップＳ１８１）、読み出した冷房閾値補正日リスト３２２に含まれる冷房閾値補正日と、現在の日付とを比較する。現在の日付と一致する冷房閾値補正日が存在する場合（ステップＳ１８２のＹＥＳ）、試験実行部３０２は、冷房閾値履歴表３１６から最新の更新日時を読み出す（ステップＳ１８３）。次に、収集データリスト３１１において、読み出した更新日時以後の収集データに含まれる外気温を全て読み出す（ステップＳ１８４）。
【００６１】
次に、試験実行部３０２は、情報記憶部３０５から冷房閾値３１２を読み出し（ステップＳ１８５）、読み出した冷房閾値３１２と読み出した外気温とを比較する（ステップＳ１８６）。
読み出した外気温の中に、Ｔ≧Ｔｍａｘを満たす外気温Ｔが存在すれば（ステップＳ１８６のＹＥＳ）、閾値補正処理を終了する。
【００６２】
読み出した外気温の中に、Ｔ≧Ｔｍａｘを満たす外気温Ｔが存在しなければ（ステップＳ１８６のＮＯ）、読み出した外気温Ｔのうちの最大値ＭＡＸ［Ｔ］を選択する（ステップＳ１８７）。次に、以下の式１の示す閾値補正演算を行い（ステップＳ１８８）、演算結果により冷房閾値３１２を更新する（ステップＳ１８９）。
Ｔｍａｘ＝（Ｔｍａｘ＋ＭＡＸ[Ｔ］）／２・・・（式１）    
続いて、現在日時と更新後の冷房閾値３１２とを含む更新情報を生成し、冷房閾値履歴表３１６に生成した更新情報を追加して閾値補正処理を終了する（ステップＳ１９１）。
【００６３】
ステップＳ１８２で、現在の日付が、何れの冷房閾値更新日とも一致しない場合（ステップＳ１８２のＮＯ）、試験実行部３０２は、情報記憶部３０５から暖房閾値補正日リスト３２３を読み出し（ステップＳ１９３）、読み出した暖房閾値補正日リスト３２３に含まれる暖房閾値補正日と、現在の日付とを比較する（ステップＳ１９４）。現在の日付と一致する暖房閾値補正日が存在する場合（ステップＳ１９４のＹＥＳ）、試験実行部３０２は、暖房閾値履歴表３１７から最新の更新日時を読み出す（ステップＳ１９５）。次に、収集データリスト３１１において、読み出した更新日時以後の収集データに含まれる外気温を全て読み出す（ステップＳ１９６）。
【００６４】
次に、試験実行部３０２は、情報記憶部３０５から暖房閾値３１３を読み出し（ステップＳ１９７）、読み出した暖房閾値３１３と読み出した外気温とを比較する（ステップＳ１９８）。
読み出した外気温の中に、Ｔ≦Ｔｍｉｎを満たす外気温Ｔが存在すれば（ステップＳ１９８のＹＥＳ）、閾値補正処理を終了する。
【００６５】
読み出した外気温の中に、Ｔ≦Ｔｍａｘを満たす外気温Ｔが存在しなければ（ステップＳ１９８のＮＯ）、読み出した外気温のうちの最小値ＭＩＮ［Ｔ］を選択する（ステップＳ２０１）。次に、以下の式２の示す閾値補正演算を行い（ステップＳ２０２）、演算結果により暖房閾値３１３を更新する（ステップＳ２０３）。
Ｔｍｉｎ＝（Ｔｍｉｎ＋ＭＩＮ[Ｔ］）／２・・・（式２）    
続いて、現在日時と更新後の暖房閾値３１３とを含む更新情報を生成し、暖房閾値履歴表３１７に生成した更新情報を追加して閾値補正処理を終了する（ステップＳ２０６）。
【００６６】
実施の形態１では、冷房閾値３１２及び暖房閾値３１３を補正する日をリストとして、保持しており、リストに含まれる補正日に補正を行っているが、「１０日毎」、「毎週月曜」というように、定期的に行うようにしてもよい。
（４−３）開始判定
試験実行部３０２は、予め、冷房試験開始環境閾値「−０．４」、暖房試験開始環境閾値「０．４」及び試験開始時間閾値「１．０分」を予め記憶している。
【００６７】
冷房試験開始環境閾値「−０．４」は、室内環境指数が、冷房性能試験を実施するために適切かどうかを判断する基準値である。ここで室内環境指数とは、室内の快適性を示す指数であり、本実施の形態では予測平均温冷感申告（以下、ＰＭＶと呼ぶ）を用いる。ＰＭＶは、温度、湿度、放射、気流、着衣量、活動量を加味した室内の快適性を示す指数である。「-３．０〜＋３．０」の範囲で、快適性をあらわし、値が大きいほど「暑い」と感じ、値が小さいと「寒い」と感じる。一般に「−０．５〜０．５」の範囲では、９５％以上の人が快適と感じる。
【００６８】
室内環境指数は、ＰＭＶに限るものではなく、予測不満率（ＰＰＤ）など、他の指数を用いてもよい。これらの指数の詳細については、非特許文献１に詳細に説明されている。
冷房性能試験においては、室内が快適な環境である間、空調装置１００は冷房試験運転を実施する。冷房性能試験開始時の室内環境指数が快適を示す範囲内にあっても、その値が小さいと、すぐに、室内の状態が快適な範囲から逸脱し（つまり、室内が寒すぎる状態になる）、冷房性能試験に十分な時間を確保できない可能性がある。よって、試験実行部３０２は、室内環境指数が、快適を示す範囲内にあっても、冷房試験開始環境閾値以上でなければ、冷房性能試験を開始しない。
【００６９】
暖房試験開始環境閾値「０．４」は、室内環境指数が、暖房性能試験を実施するために適切かどうかを決定する基準値である。試験実行部３０２は、室内環境指数が、暖房試験開始環境閾値「０．４」以下でなければ、暖房性能試験を開始しない。
試験開始時間閾値「１．０分」は、冷房性能試験又は暖房性能試験を開始するか否かを判定する基準値の一つである。試験実行部３０２は、性能試験に先立って試験運転時間を算出し、算出した試験運転時間が試験開始時間閾値未満であれば、前記試験を開始しない。試験運転時間は、空調装置１００に冷房試験運転又は暖房試験運転を実施させる予定時間である。
【００７０】
ここでは、空調装置１００が、最大能力運転を開始する際に、運転の状態が安定するまでに要する時間「１．０分」を試験開始時間閾値として用いる。これは、空調装置１００の特性によって決まる値である。
以下に、図１１のフローチャートを用いて、試験実行部３０２による開始判定の処理について説明する。なお、これは、図３のステップＳ１２７の詳細である。
【００７１】
試験実行部３０２は、収集データリスト３１１の最新の収集データに含まれる外気温Ｔと、冷房閾値３１２とを情報記憶部３０５から読み出し（ステップＳ２２１）、両者を比較する（ステップＳ２２２）。Ｔ＜Ｔｍａｘであれば（ステップＳ２２２のＮＯ）、冷房性能試験を開始しないと判定する。
次に、試験実行部３０２は、現在は、外気温が低いため冷房性能試験の実施に適していない旨を通知する通知画面を生成して、モニタ３０９に表示し（ステップＳ２２８）、開始判定の処理を終了して図３のステップＳ１２９へ進む。
【００７２】
ここで、本実施の形態では、外気温によって冷房性能試験を実施するか否かを判断しているが、比エンタルピーなど他のデータや指数などによって判断してもよい。
Ｔ≧Ｔｍａｘであれば（ステップＳ２２２のＹＥＳ）、情報記憶部３０５に記憶されているＰＭＶ算出基本データ３２７及び収集データリスト３１１の最新の収集データを用いて、室内環境指数Ｐを算出する（ステップＳ２２３）。
【００７３】
次に、試験実行部３０２は、算出した室内環境指数Ｐと試験開始環境閾値「−０．４」とを比較する（ステップＳ２２４）。
Ｐ＜−０．４である場合（ステップＳ２２４のＮＯ）、室内環境を冷房性能試験に適した状態にするために、調整運転を空調制御部３０３へ指示する（ステップＳ２２５）。空調制御部３０３に、調整運転の指示を出した後、一定時間経過すると、ステップＳ２２１へ戻る。
【００７４】
ステップＳ２２４において、Ｐ≧−０．４であれば（ステップＳ２２４のＹＥＳ）、試験実行部３０２は、下記の式３の演算を行って、空調装置１００に冷房試験運転を実施させる試験運転時間ｔ２を算出する（ステップＳ２２６）。下記の式３中のＣは、任意の定数である。
ｔ２＝（Ｔ−Ｔｍａｘ）／Ｃ  ・・・（式３）
続いて、試験実行部３０２は、算出した試験運転時間ｔ２と試験開始時間閾値「１分」とを比較する（ステップＳ２２７）。ｔ２＜１分であれば（ステップＳ２２７のＮＯ）、ステップＳ２２８へ処理を移し、現在は、十分な試験時間が確保できない旨を通知する通知画面をモニタ３０９に表示させる。
【００７５】
ｔ２≧１分であれば（ステップＳ２２７のＹＥＳ）、冷房性能試験を開始すると判断して、開始判定処理を終了する。
なお、図３のステップＳ１３２の開始判定は、ここで説明した開始判定とほぼ同一であるので、相違点のみ簡単に説明する。図１１において、冷房閾値Ｔｍａｘに代えて暖房閾値Ｔｍｉｎを用い、冷房試験開始環境閾値「−０．４」に代わって暖房試験開始環境始閾値「０．４」を用いる。また、ステップＳ２２２とステップＳ２２４の「≧」を「≦」に置き換え、式３に代わって、以下の式４を用いればよい。
【００７６】
ｔ２＝（Ｔｍｉｎ−Ｔ）／Ｃ  ・・・（式４）
なお、試験運転時間ｔ２を算出する方法は、式３及び式４に限定されるものではなく、他の式を用いてもよい。また、所定時間、例えば１分をｔ２に代入してもよい。
（４−４）冷房性能試験
試験実行部３０２は、さらに、予め、環境監視間隔「１分」、快適範囲「−０．５〜０．５」及び継続閾値「０分」を記憶している。また、時間の経過を計測するカウンタＴ１及びカウンタＴ２を備える。
【００７７】
環境監視間隔「１分」は、冷房性能試験中又は暖房性能試験中に、室内環境指数を算出して、室内の快適性の確認を行う時間間隔である。
快適範囲「−０．５〜０．５」は、一般に９５％以上の人が快適と感じるといわれるＰＭＶの範囲である。
継続閾値「０分」は、冷房試験運転又は暖房試験運転を実施する時間を延長するか否かを判断する基準値である。試験実行部３０２は、冷房性能試験又は暖房性能試験において、試験運転時間を再計算し、算出した試験運転時間が継続閾値「０分」より大きければ、算出した試験運転時間分、冷房試験運転又は暖房試験運転を実施する時間を延長する。
【００７８】
以下に、図１２〜図１４のフローチャートを用いて、冷房性能試験の処理手順について説明する。なお、これは、図３のステップＳ１３１の詳細である。
試験実行部３０２は、現在の温度及び風向の設定を示す設定情報を情報記憶部３０５に書き込む（ステップＳ２３１）。次に、空調制御部３０３へ、冷房試験運転への運転モード変更を指示し（ステップＳ２３２）、同時に、現在時刻を試験開始時刻として一時的に記憶する（ステップＳ２３４）。
【００７９】
次に、試験実行部３０２は、カウンタＴ１及びカウンタＴ２を初期化し（ステップＳ２３６）、時間の計測を開始する（ステップＳ２３７）。続いて、カウンタＴ１が環境監視間隔「１分」を超えているか否かを確認する（ステップＳ２３９）。Ｔ１＜１分であれば（ステップＳ２３９のＮＯ）、次に、カウンタＴ２が試験運転時間ｔ２を超えているか否かを確認する（ステップＳ２４６）。Ｔ２＜ｔ２であれば（ステップＳ２４６のＮＯ）、ステップＳ２３７に戻り、Ｔ１≧１分又はＴ２≧ｔ２になるまで、時間の計測を続ける。
【００８０】
Ｔ１≧１分であれば（ステップＳ２３９のＹＥＳ）、再度、室内環境指数Ｐを算出する（ステップＳ２４１）。算出した室内環境指数Ｐが、快適範囲内「−０．５〜０．５」に含まれていない場合、つまり、快適範囲外若しくは快適範囲の境界の値（Ｐ＝−０．５）である場合（ステップＳ２４２のＮＯ）、ステップＳ２５２へ処理を移し、性能値を算出する。
【００８１】
算出した室内環境指数Ｐが、−０．５＜Ｐ＜０．５を満たしている場合（ステップＳ２４２のＹＥＳ）、カウンタＴ１を初期化し（ステップＳ２４３）、ステップＳ２４６の処理に移る。
ステップＳ２４６において、Ｔ２≧ｔ２であれば（ステップＳ２４６のＹＥＳ）、式３を用いて、試験運転時間ｔ２を再計算する（ステップＳ２４８）。算出したｔ２＞０であれば（ステップＳ２４９のＹＥＳ）、カウンタＴ２を初期化し（ステップＳ２５１）、ステップＳ２３７へ戻る。
【００８２】
算出したｔ２≦０の場合（ステップＳ２４９のＮＯ）、ステップＳ２５２へ処理を移す。
算出した室内環境指数Ｐが、−０．５＜Ｐ＜０．５を満たしていない場合（ステップＳ２４２のＮＯ）、又は、再計算した試験運転時間ｔ２が０以下である場合（ステップＳ２４９のＮＯ）、試験実行部３０２は、現在時刻を試験終了時刻として記憶する（ステップＳ２５２）。収集データリスト３１１において、記憶している試験開始時刻から試験終了時刻までの間に収集された外気温の中から、最高気温を検出し、検出した最高気温を読み出す（ステップＳ２５３）。読み出した最高気温により、冷房閾値３１２を更新する（ステップＳ２５４）。続いて、試験実行部３０２は、現在時刻と、更新後の冷房閾値３１２とからなる更新情報を生成し、生成した更新情報を冷房閾値履歴表３１６に追加する（ステップＳ２５６）。
【００８３】
次に、収集データリスト３１１を構成する収集データのうち、試験開始時刻から試験終了時刻までの間の収集データを情報記憶部３０５から読み出し（ステップＳ２５９）、次式によって、各時刻における性能値ＣＯＰＣを算出する（ステップＳ２６１）。なお、本明細書において、冷房運転の性能値ＣＯＰをＣＯＰＣと表記し、暖房運転の性能値ＣＯＰをＣＯＰHと表記する。
【００８４】
ＣＯＰＣ＝[（室温）−（給気温）]×（風速×断面積）×比熱×比容量×定数／電力  ・・・（式５）
断面積は、ダクト１１１の断面積、比熱、比容量は、建物２００の室内の比熱と比容量である。定数は、分子と分母の単位を調整する定数である。これらは、予め、情報記憶部３０５に記憶されている。性能値ＣＯＰについては、公知であるので、ここでは、簡単な説明にとどめる。
【００８５】
性能値を算出し終えると、試験実行部３０２は、算出した性能値を情報記憶部３０５へ書き込む（ステップＳ２６２）。次に、情報記憶部３０５から、設定情報を読み出し（ステップＳ２６３）、読み出した設定情報を復帰させ、空調制御部３０３へ通常運転への運転モード変更を指示して冷房性能試験の処理を終了する（ステップＳ２６４）。
（４−５）暖房性能試験
暖房性能試験は、冷房性能試験と類似しているので、ここでは、相違点のみを述べる。
【００８６】
図１２〜図１３のフローチャートにおいて、冷房閾値Ｔｍａｘを暖房閾値Ｔｍｉｎに読み替え、ステップＳ２３２の「冷房試験運転」を「暖房試験運転」と読み替えればよい。また、ステップＳ２４８において、式３に代わって、式４を用いて試験運転時間を算出し、ステップＳ２５３において、最高気温に代わって最低気温を読み出し、ステップＳ２５６において、冷房閾値履歴表３１６に代わって、暖房閾値履歴表３１７に更新情報を追加すればよい。さらに、式５に代わって、以下の式６によって、暖房運転における性能値ＣＯＰHを算出する。
【００８７】
ＣＯＰH＝[（室温）−（給気温）]×（風速×断面積）×比熱×比容量×定数／電力  ・・・（式６）
１．７  まとめ
以上、説明してきたように、実施の形態１の空調管理システム１において、空調管理装置３００は、外気温が、冷房閾値Ｔｍａｘ以上であり、空調装置１００にとって高負荷状態である場合に、冷房性能評価試験を開始する。冷房性能評価試験中において、定期的に、室内環境指数を算出し、算出した室内環境指数が、快適範囲「−０．５〜０．５」に含まれているか否かを確認する。室内環境指数が、快適範囲を逸脱する前に、冷房閾値Ｔｍａｘの更新及び性能値ＣＯＰＣの演算を行って、冷房性能試験を終了する。
【００８８】
暖房性能試験の場合も同様に、外気温が暖房閾値Ｔｍｉｎ以下であり、空調装置にとって、高負荷状態である場合に、暖房性能試験を開始し、室内の快適性を示す室内環境指数が、快適範囲を逸脱する前に、暖房閾値Ｔｍｉｎの更新及び性能値ＣＯＰH の演算を行って、暖房性能試験を終了する。
このようにすることで、空調管理装置３００は、外気温の条件が厳しく、居住者が存在するという高負荷状態で、居住者の快適性を保ったまま、空調装置１００の性能評価を実施することができる。
【００８９】
また、空調管理装置３００は、冷房運転中の開始判定において、室内環境指数が、冷房試験開始環境閾値「−０．４」未満である場合、空調装置１００に調整運転を行わせる。暖房運転中の開始判定においても同様に、室内環境指数が暖房運転開始環境閾値「０．４」より大きい場合、調整運転を行わせる。
このように調整運転を行わせることで、性能試験の開始条件のひとつ（つまり、冷房試験開始環境閾値「−０．４」又は暖房運転開始環境閾値「０．４」）を満たし、性能試験を実施する機会を確保することができる。
【００９０】
また、空調管理装置３００は、負荷の高い状態での空調装置１００の性能評価を実施することを目的としている。そのため、外気温が低下し、熱負荷が試験開始時よりも低下した場合、もはや、冷房性能試験を継続する必要はない。むしろ、このような状態で、冷房試験運転を継続させることは、電力の無駄な消費に繋がる。
空調管理装置３００の試験実行部３０２は、式３により、試験運転時間を算出し、冷房試験運転を開始してからの経過時間が試験運転時間に達する度に、試験運転時間を再計算し、算出した試験運転時間が負になると冷房性能試験を終了する。式３から分かるように、外気温がＴｍａｘ以下になると、試験運転時間が０以下になる。
【００９１】
従って、本発明の空調管理装置３００は、外気温による熱負荷が低下した場合、室内環境指数が、快適の範囲内であっても、冷房性能試験を終了し、消費電力を削減することができる。暖房性能試験の際も同様である。
また、空調管理装置３００は、毎年１回、前年度のデータを参照して冷房閾値及び暖房閾値を更新する。図８を用いて説明した手順で閾値更新処理を行うと、今年度の冷房閾値Ｔｍａｘは、前年度の冷房閾値の中の最大の冷房閾値Ｔｍａｘ’以上になり、今年度の暖房閾値Ｔｍｉｎは、前年度の暖房閾値の中の最小の暖房閾値Ｔｍｉｎ’以下になる。
【００９２】
性能試験運転において、空調装置１００は最大能力で運転を行うため、試験中の空調装置１００の消費電力は最大になる。上記の通り、Ｔｍａｘ≧Ｔｍａｘ’であり、Ｔｍｉｎ≦Ｔｍｉｎ’であるので、前年度に比べて、今年度は、冷房性能試験及び暖房性能試験を実施する回数が減少すると予測され、年間の消費電力を減少させることができる。
省電力の観点からは、性能試験の実施回数は少ない方が望ましいが、経年的な性能の変化を監視するために、ある程度の回数・頻度で冷房性能試験及び暖房性能試験が実施されることが望ましい。
【００９３】
実施の形態１では、空調管理装置３００は、冷房閾値補正日に冷房閾値と直近の外気温とを比較し、一定期間（本実施の形態では７日間）、外気温が冷房閾値Ｔｍａｘを超えない状態が連続すると、式１を用いて、冷房閾値を下げ、冷房性能試験が実施されやすくする。
暖房閾値についても同様にして、一定期間、外気温が暖房閾値Ｔｍｉｎを下回らない状態が連続すると、式２を用いて暖房閾値を上げ、暖房性能試験が実施されやすくする。
【００９４】
このようにすることで、本実施の形態の空調管理装置３００は、長期間、冷房性能試験及び暖房性能試験が実施されない状態が続くことを回避することができる。
２．変形例
以上、本発明について、実施の形態１に基づいて説明してきたが、本発明は、これに限定されるものではなく、以下のような場合も含まれる。
（１）実施の形態１では、空調管理装置３００の試験実行部３０２は、以下の条件Ａ、Ｂ、Ｃを全て満たす場合に、冷房性能試験を開始すると判断している。
【００９５】
Ａ．外気温Ｔ≧冷房閾値Ｔｍａｘ
Ｂ．室内環境指数Ｐ≧−０．４
Ｃ．試験運転時間ｔ２≧１分
また、以下の条件Ｄ．又はＥのうち、何れか一方を満たすと、性能値ＣＯＰＣの演算、冷房閾値Ｔｍａｘの更新などを行い、性能試験を終了する。
【００９６】
Ｄ．室内環境指数が快適範囲を逸脱する
Ｅ．試験運転時間ｔ２≦０
しかし、試験運転時間ｔ２に係る条件（条件Ｃ及び条件Ｅ）は、必ずしも必要ではない。この場合、試験実行部３０２は、外気温Ｔ≧冷房閾値Ｔｍａｘ、かつ、室内環境指数Ｐ≧−０．４であれば、冷房性能試験を開始すると判断し、室内環境指数が、快適範囲を逸脱するまで、冷房性能試験を継続する。
【００９７】
暖房性能試験に関しても同様に、外気温Ｔ≦暖房閾値Ｔｍｉｎ、かつ、室内環境指数Ｐ≦０．４であれば、暖房性能試験を開始すると判断し、室内環境指数が、快適範囲を逸脱するまで、暖房性能試験を継続するとしてもよい。
このように、室内環境指数が快適の範囲にある間、性能試験を継続すると、より長時間、試験運転を継続することになるため、最大能力運転をより長い時間、継続した場合の空調装置の性能を評価することができる。
【００９８】
さらに、外気温にかかる条件Ａも、必ずしも必要ではない。
（２）実施の形態１では、空調管理装置３００は、開始判定の処理において、室内環境指数Ｐが冷房試験開始環境閾値「−０．４」未満の場合、一定時間、調整運転を行うように、空調装置１００を制御しているがこれに限るものではなく、以下のようにしてもよい。
空調装置１００が調整運転を行っている間、空調管理装置３００は、定期的に室内環境指数を算出し、室内環境指数が、冷房試験開始環境閾値「−０．４」に達した時点で、調整運転を終了させる。続いて、試験運転時間ｔ２の算出、算出した試験時間ｔ２と試験開始時間閾値「１分」とを比較へと処理を進める（図１１のステップＳ２２６〜ステップＳ２２７）。
【００９９】
このようにすることで、室内環境指数が、確実に冷房試験開始環境閾値以上になり、性能試験を実施する機会を確実に確保できる。暖房運転中の開始判定についても同様に、暖房試験開始環境閾値「０．４」になるまでの間、調整運転を行うように制御する。
（３）  また、実施の形態１及び上記の変形例において、冷房開始環境閾値を快適範囲の最大値「０．５」としてもよい。
【０１００】
冷房性能試験中、空調装置１００は、最大出力で冷房運転を行うため、室内環境指数は、徐々に小さくなる。そこで、冷房開始環境閾値を快適範囲の最大値「０．５」に設定すると、冷房性能試験を開始する時点での室内環境指数は、「０．５」になり、室内環境指数が、快適範囲を逸脱するまで、つまり、室内環境指数が「−０．５」に達するまでに要する時間が長くなる。
【０１０１】
従って、快適性を保ったまま、冷房試験運転を継続できる時間が最長になり、長時間最大出力で冷房運転を継続した場合の性能値の変動を評価することができる。
暖房運転中の開始判定についても、同様に、暖房試験開始環境閾値を「−０．５」としておき、室内環境指数が「−０．５」から「０．５」の間、暖房試験運転を継続させるとしてもよい。
（４）また、上記の実施の形態では、室内環境指数が快適範囲「−０．５〜０．５」を逸脱する前に、性能試験を終了するが、快適範囲に代わって、室内環境指数の任意の試験範囲を逸脱すると、性能試験を終了するようにしてもよい。
【０１０２】
例えば、冷房性能試験の場合、空調管理装置３００は、冷房試験運転を継続する冷房試験範囲「０〜０．５」、暖房試験運転を実施させる暖房試験範囲「−０．５〜０」を予め記憶しておく。また、冷房試験開始環境閾値は、冷房試験範囲に含まれる値（ここでは、０．５とする）に設定しておき、暖房試験開始環境閾値は、暖房試験範囲に含まれる値（ここでは−０．５とする）に設定しておく。
【０１０３】
空調管理装置３００は、室内環境指数が冷房試験範囲「０〜０．５」の間、空調装置１００に冷房試験運転を実施させ、室内環境指数が「０」になると、冷房試験運転を終了させる。
また、暖房性能試験においては、室内環境指数が暖房試験範囲「−０．５〜０」の間、空調装置１００に暖房試験運転を実施させ、室内環境指数が「０」になると、暖房試験運転を終了させる。
【０１０４】
居住者は、室内環境指数が快適範囲「−０．５〜０．５」の範囲にあれば、快適と感じる。従って、快適範囲よりも狭く、かつ、快適範囲内の最大値「０．５」を含む冷房継続範囲「０〜０．５」で冷房性能試験を実施することで、冷房性能試験に関する電力消費を削減することができる。暖房性能試験についても、同様に、消費電力を削減することができる。
（５）本実施の形態では、説明を簡略化するため、空調管理システム１は、建物２００内の１室内の空調を管理するものとして説明してきたが、建物２００内に複数の部屋が存在し、これらの部屋の空調を一括管理するシステムであってもよい。
【０１０５】
この場合の、制御方式は、全ての部屋に同じ空調管理を行う全体制御方式であってもよいし、フロア毎又は方角ごとのゾーン制御方式であってもよいし、部屋毎に個別制御方式であってもよい。性能試験は、各制御方式に合わせて、全館一斉、ゾーン単位、部屋単位に行う。
（６）また、空調装置１００は、暖房熱源（ヒーター）と冷房熱源（冷凍機）とを個別に備える構成であったが、冷凍機を暖房熱源として使用してもよい。このような熱源を一般にヒートポンプ方式と呼ぶ。ヒートポンプ方式については、非特許文献２に説明されているので、ここでは、詳細な説明はしない。
（７）また、実施の形態１において、図１１を用いて説明したように、試験運転時間ｔ２を算出し、算出した試験運転時間が「１分」以上であるか否かを判断しているが（図１１のステップＳ２２６、ステップＳ２２７）、これに代わって、所定の時間、例えば「１分」を、試験運転時間ｔ２に代入してもよい。
【０１０６】
さらに、図１３のステップＳ２４８〜２５１において、試験運転時間ｔ２を再計算して、再計算した試験運転時間ｔ２と「０分」とを比較する代わりに、最新の外気温Ｔと冷房閾値Ｔｍａｘとを比較し、Ｔ＞Ｔｍａｘであれば、試験運転時間に１分追加しステップＳ２５１へ進み、Ｔ≦Ｔｍａｘであれば、ステップＳ２５２へ進むとしてもよい。
このように、試験運転時間ｔ２に１分（ここでは、データ収集部３０１がデータを収集する間隔）加算するという単純な演算によって延長するため、空調管理装置３００を構成するマイクロプロセッサにかかる演算負荷を軽くする。
【０１０７】
また、Ｔ≦Ｔｍａｘであれば、ステップＳ２５２へ進み、冷房性能試験を終了するため、実施の形態１と同様に、外気温による熱負荷が小さくなった状態での無駄な試験運転を防止し、電力消費を抑制するという効果を得られる。
（８）実施の形態１及び変形例において、空調管理装置３００は、各種データの取得、空調装置１００の制御及び性能値の算出を全て行っているが、それぞれの機能を備えた複数の装置から構成されていても良い。
（９）本発明の空調管理装置において、前記更新手段は、前記記憶手段の記憶している旧外気温のうち、前記旧実施閾値に達している旧外気温に基づいて、前記旧実施閾値と同一の外気温が前記室内の熱負荷に与える影響以上の影響を前記室内の熱負荷に与える外気温を、前記実施閾値として生成し、生成した前記実施閾値によって、前記旧実施閾値を更新する。
【０１０８】
前記旧実施閾値に達している旧外気温とは、冷房運転においては、旧実施閾値以上の旧外気温であり、暖房運転においては、旧実施閾値以下の旧外気温である。
冷房運転においては、外気温が高いほど、室内の熱負荷に対する外気温の影響は大きくなる。上記の構成によると、冷房運転に関する前記試験運転の実施閾値は、旧実施閾値以上になる。そのため、本発明の空調管理装置は、過去に最大能力による冷房の試験運転を実施したときよりも、外気温が高い場合、つまり、過去における冷房の試験運転実施時よりも、より大きい熱負荷が存在する場合にのみ、最大能力による冷房の試験運転の実施する。従って、外気温に関する熱負荷が低い状態での、最大能力運転による試験運転を抑制し、無駄な電力消費を削減することができる。
【０１０９】
また、暖房運転においては、外気温が低いほど、室内の熱負荷に対する、外気温の影響は大きくなる。上記の構成によると、暖房運転に関する前記実施閾値は、旧実施閾値以下になる。そのため、本発明の空調管理装置は、過去に最大能力による暖房の試験運転を実施したときよりも、外気温が低い場合、つまり、過去における暖房の試験運転実施時よりも、より大きい熱負荷が存在する場合にのみ、最大能力による暖房の試験運転の実施する。従って、外気温に関する熱負荷が低い状態での、最大能力運転による試験運転を抑制し、無駄な電力消費を削減することができる。
（１０）本発明の空調管理装置において、前記所定期間は、前記更新の直前の期間であり、前記更新手段は、前記基準値記憶手段の記憶している前記旧実施閾値と前記記憶手段の記憶している旧外気温とを比較し、前記旧実施閾値に達している旧外気温が存在しない場合、前記記憶手段から旧外気温を読み出し、読み出した旧外気温に基づいて、前記基準値記憶手段の記憶している前記旧実施閾値と同一の外気温よりも、前記室内の熱負荷にあたえる影響の小さい外気温を前記実施閾値として算出し、算出した前記実施閾値によって、前記旧実施閾値を更新することを特徴とする。
【０１１０】
ここで、前記旧実施閾値に達している旧外気温とは、冷房運転においては、旧実施閾値以上の旧外気温であり、暖房運転においては、旧実施閾値以下の旧外気温である。
冷房運転に関する試験運転の場合、上記の構成によると、前記更新手段は、前記更新を実施する直前の所定期間に、前記旧実施閾値以上の旧外気温が存在しない場合に、前記旧実施閾値未満の前記実施閾値を算出する。従って、冷夏などで外気温が低い日が続き、最大能力による冷房の試験運転が長期間実施されないという事態を回避することができる。
【０１１１】
また、暖房運転に関する試験運転の場合、上記の構成によると、前記更新手段は、前記更新を実施する直前の所定期間に、前記旧実施閾値以下の旧外気温が存在しない場合に、前記旧実施閾値より大きい前記実施閾値を算出する。従って、暖冬などで外気温が高い日が続き、最大能力による暖房の試験運転が長期間実施されないという事態を回避することができる。
（１１）上記の空調管理装置は、具体的には、マイクロプロセッサ、ＲＯＭ、ＲＡＭ、ハードディスクユニット、ディスプレィユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各装置は、その機能を達成する。ここで、コンピュータプログラムは、所定の機能を達成するために、コンピュータに対する指令を示す命令コードが複数個組み合わされて構成されたものである。
（１２）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０１１２】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１１３】
また、本発明は、前記コンピュータプログラム又は前記デジタル信号を、電気通信回線、無線又は有線通信回線、インターネットを代表とするネットワーク、データ放送等を経由して伝送するものとしてもよい。
（１３）上記実施の形態及び上記変形例をそれぞれ組み合わせるとしてもよい。
【図面の簡単な説明】
【０１１４】
【図１】実施の形態１の空調管理システム１の構成を示す構成図である。
【図２】空調管理装置３００の構成を示すブロック図である。
【図３】空調管理装置３００の動作を示すフローチャートである。
【図４】情報記憶部３０５の記憶されている情報の一例を示す。
【図５】収集データリスト３１１の詳細を示す。
【図６】冷房閾値履歴表３１６及び暖房閾値履歴表３１７の詳細を示す。
【図７】冷房閾値補正日リスト３２２及び暖房閾値補正日リスト３２３の詳細を示す。
【図８】空調管理装置３００を構成する試験実行部３０２による閾値更新処理を示すフローチャートである。
【図９】空調管理装置３００を構成する試験実行部３０２による閾値補正処理を示すフローチャートである。
【図１０】空調管理装置３００を構成する試験実行部３０２による閾値補正処理を示すフローチャートである。図９から続く。
【図１１】空調管理装置３００を構成する試験実行部３０２による、冷房性能試験の開始判定を示すフローチャートである。
【図１２】空調管理装置３００を構成する試験実行部３０２による、冷房性能試験を示すフローチャートである。
【図１３】空調管理装置３００を構成する試験実行部３０２による、冷房性能試験を示すフローチャートである。図１２から続く。
【図１４】空調管理装置３００を構成する試験実行部３０２による、冷房性能試験を示すフローチャートである。図１２から続く。
【符号の説明】
【０１１５】
１００    空調装置
１５０    空調計測機器
２００    建物
２５０    屋外計測機器
３００    空調管理装置
３０９    モニタ
【図１】
2007024428.tif 000003
【図２】
2007024428.tif 000004
【図３】
2007024428.tif 000005
【図４】
2007024428.tif 000006
【図５】
2007024428.tif 000007
【図６】
2007024428.tif 000008
【図７】
2007024428.tif 000009
【図８】
2007024428.tif 000010
【図９】
2007024428.tif 000011
【図１０】
2007024428.tif 000012
【図１１】
2007024428.tif 000013
【図１２】
2007024428.tif 000014
【図１３】
2007024428.tif 000015
【図１４】
2007024428.tif 000016